(57)【要約】【課題】  機構の介入を感じさせない簡易かつ自然な構造で、管理者により容易に景品払出率の調整が行える景品取得ゲーム機を提供する。【解決手段】  本発明に係る景品取得ゲーム機１は、景品ＧＦが載置されて前後方向へ移動自在な景品載置部４と、景品載置部４を前方へ引き出す引き出し手段５と、景品載置部４が所定引き出し位置に引き出されると、景品載置部４に載置された景品ＧＦが前方へ落下するように景品載置部４を傾斜させる傾斜手段と、引き出し手段５を操作する操作手段８ａ，８ｂとを備え、操作手段８ａ，８ｂを操作して引き出し手段５を作動させ、引き出し手段５を用いて景品載置部４を所定引き出し位置まで引き出すことができたとき、傾斜手段により景品載置部４が傾斜して景品載置部４に載置された景品ＧＦが前方へ落下することで、景品ＧＦを取得することができるように構成される。【選択図】  図１
2005152591.tif 000002
【特許請求の範囲】
【請求項１】
景品が載置されて前後方向へ移動自在な景品載置部と、
前記景品載置部を前方へ引き出す引き出し手段と、
前記景品載置部が所定引き出し位置に引き出されると、前記景品載置部に載置された景品が前方へ落下するように前記景品載置部を傾斜させる傾斜手段と、
前記引き出し手段を操作する操作手段とを備え、
前記操作手段を操作して前記引き出し手段を作動させ、前記引き出し手段を用いて前記景品載置部を前記所定引き出し位置まで引き出すことができたとき、前記傾斜手段により前記景品載置部が傾斜して前記景品載置部に載置された景品が前方へ落下することで、景品を取得することができるように構成されることを特徴とする景品取得ゲーム機。
【請求項２】
前記景品載置部は、前記景品載置部の前端に吊り下げられた紐状部材と、前記紐状部材の下端部に設けられた目標部材とを有して構成され、
前記引き出し手段は、前記引き出し手段の先端に設けられて前記目標部材に係止可能な鋤状の係止部を有して構成されており、
前記係止部が前記目標部材に係止した状態で、前記引き出し手段により前記目標部材および前記紐状部材とともに前記景品載置部が引き出されることを特徴とする請求項1に記載の景品取得ゲーム機。
【請求項３】
前記景品載置部と前記紐状部材との間に跨って、可撓性を有するロッド部が設けられていることを特徴とする請求項２に記載の景品取得ゲーム機。
【請求項４】
前記係止部は、前記目標部材に係止可能な２本の爪を有して構成されることを特徴とする請求項２もしくは請求項３に記載の景品取得ゲーム機。
【請求項５】
前記景品載置部は、略鉛直な平面内に複数配設されることを特徴とする請求項1から請求項４のうちいずれか一項に記載の景品取得ゲーム機。
【請求項６】
前記景品載置部が前後方向へ移動自在に収容される収容部と、
前記景品載置部に設けられて前記収容部に摺接可能な摺接部材とを備え、
前記収容部における前記摺接部材と摺接可能な部分に、前記摺接部材の後方への摺動に対する摺動抵抗を前記摺接部材の前方への摺動に対する摺動抵抗よりも大きくする移動規制部が設けられることを特徴とする請求項1から請求項５のうちいずれか一項に記載の景品取得ゲーム機。
【発明の詳細な説明】
【技術分野】
【０００１】
本発明は、所定の操作手段を操作することにより景品載置部に載置された景品を落下させて取得する景品取得ゲーム機に関し、さらに詳しくは、景品載置部が所定引き出し位置に引き出されたときに景品を落下させて取得する景品取得ゲーム機に関する。
【背景技術】
【０００２】
景品を所定の操作により落下させ景品を取得するゲーム機は従来から多数提案されており、技術性の高いことから人気がある。このような製品として、例えば、特開平８−２２４３６５号公報で開示されるゲーム機や、特開２００１−２１２３６２号公報で開示されゲーム機など、様々なパターンが提案されている。
【０００３】
例えば、特開平８−２２４３６５号公報で開示される景品取得ゲーム機は、所定の空間内に配置される景品を取得する景品取得ゲーム機（装置）であって、個々の景品が所定位置に留まるように配置される景品配置部と、景品が空間内を循環するように景品配置部を駆動する駆動手段と、遊技者の操作に応じて、所定の位置から移動する景品取得手段と、景品取得手段を稼働させるタイミングを制御する操作手段とを有し、景品取得手段が景品の循環経路より景品を逸脱させた場合に、景品を取得可能に構成される。このような構成の景品取得ゲーム機によれば、遊技者が操作手段を操作して所望の景品を直接狙うことができる。
【特許文献１】特開平８−２２４３６５号公報
【特許文献２】特開２００１−２１２３６２号公報
【発明の開示】
【発明が解決しようとする課題】
【０００４】
しかしながら、このようなゲーム機では景品そのものをターゲットとして狙うため、円形の景品では不安定となるため狙いにくくなり、また、バラ菓子等の細かい景品では袋詰等しないと景品として使用することができなかった。また、ゲームに対する機構の介入度が高いと遊技者に対して不信感を与えてしまい、ゲームに対する機構の介入度が低いと景品払出率の調整が困難になる問題もあった。そこで、ゲームに対する機構の介入度が低く景品払出率の調整が容易に行える景品取得ゲーム機が望まれていた。
【０００５】
本発明は、このような問題に鑑みて成されたものであり、機構の介入を感じさせない簡易かつ自然な構造で、管理者により容易に景品払出率の調整が行える景品取得ゲーム機を提供することを目的とする。
【課題を解決するための手段】
【０００６】
このような目的達成のため、本発明に係る景品取得ゲーム機は、景品が載置されて前後方向へ移動自在な景品載置部と、景品載置部を前方へ引き出す引き出し手段と、景品載置部が所定引き出し位置に引き出されると、景品載置部に載置された景品が前方へ落下するように景品載置部を傾斜させる傾斜手段と、引き出し手段を操作する操作手段（例えば、実施形態における上下操作スイッチ８ａおよび左右操作スイッチ８ｂ）とを備え、操作手段を操作して引き出し手段を作動させ、引き出し手段を用いて景品載置部を所定引き出し位置まで引き出すことができたとき、傾斜手段により景品載置部が傾斜して景品載置部に載置された景品が前方へ落下することで、景品を取得することができるように構成される。
【０００７】
また、上述の発明において、景品載置部は、景品載置部の前端に吊り下げられた紐状部材と、紐状部材の下端部に設けられた目標部材とを有して構成され、引き出し手段は、引き出し手段の先端に設けられて目標部材に係止可能な鋤状の係止部を有して構成されており、係止部が目標部材に係止した状態で、引き出し手段により目標部材および紐状部材とともに景品載置部が引き出されることが好ましい。
【０００８】
さらに、上述の発明において、景品載置部と紐状部材との間に跨って、可撓性を有するロッド部が設けられていることが好ましい。
【０００９】
また、上述の発明において、係止部は、目標部材に係止可能な２本の爪を有して構成されることが好ましい。
【００１０】
さらに、上述の発明において、景品載置部は、略鉛直な平面内に複数配設されることが好ましい。
【００１１】
また、上述の発明において、景品載置部が前後方向へ移動自在に収容される収容部（例えば、実施形態におけるトレイ収容部１３２）と、景品載置部に設けられて収容部に摺接可能な摺接部材とを備え、収容部における摺接部材と摺接可能な部分に、摺接部材の後方への摺動に対する摺動抵抗を摺接部材の前方への摺動に対する摺動抵抗よりも大きくする移動規制部（例えば、実施形態における鋼球１７６）が設けられてもよい。
【発明の効果】
【００１２】
本発明によれば、引き出し手段を用いて景品載置部を所定引き出し位置まで引き出すことができたとき、景品を取得することができるように構成されるため、引き出し手段により景品載置部を引き出しやすくしたり、あるいは引き出しにくくすることで、機構の介入を感じさせない簡易かつ自然な構造で、景品取得ゲーム機における景品払出率の調整を容易に行うことができる。また、引き出し手段を用いて景品載置部を引き出すため、形態に囚われずに景品を使用することができる。
【００１３】
また、引き出し手段の先端に設けられた係止部が目標部材に係止した状態で、引き出し手段により目標部材および紐状部材とともに景品載置部が引き出されるようにすることで、紐状部材の長さを調節したり、係止部の形状や弾性率等を変更することにより、係止部が目標部材に係止する際の難易度を調整することができ、景品取得ゲーム機における景品払出率の調整をより容易に行うことができる。
【００１４】
さらに、景品載置部と紐状部材との間に跨って、可撓性を有するロッド部が設けられることで、ロッド部の長さや弾性率等（すなわち、撓みやすさ）を変更することにより、景品取得ゲーム機における景品払出率の調整をより容易に行うことができる。
【００１５】
また、係止部が目標部材に係止可能な２本の爪を有して構成されることで、係止部の構造を簡潔にすることができる。
【００１６】
さらに、景品載置部が略鉛直な平面内に複数配設されることで、景品載置部が傾斜して景品が前方へ落下する際に、落下する景品が他の景品載置部に接触することを防止することができる。
【００１７】
また、（景品載置部が収容された）収容部における摺接部材と摺接可能な部分に、摺接部材の後方への摺動に対する摺動抵抗を摺接部材の前方への摺動に対する摺動抵抗よりも大きくする移動規制部が設けられることで、引き出し手段を用いて景品載置部を引き出す際に、引き出し手段が景品載置部に当接してしまっても、景品載置部が容易に後方へ移動してしまうことを防止することができる。
【発明を実施するための最良の形態】
【００１８】
以下、本発明の好ましい実施形態について図面を参照しながら説明する。本発明に係る景品取得ゲーム機１を図１および図２に示している。この景品取得ゲーム機１は、ゲーム機本体２と、ゲーム機本体２の上に配設されて内部に多種の景品ＧＦが載置された景品室３とを主体に構成される。
【００１９】
景品室３は、前方および左右を透明板３ａで囲まれており、前方および左右から景品室３内の景品ＧＦを認識できるようになっている。なお、景品室３の後方は板部材３ｂで覆われている。図１に示すように、景品室３の内部には、景品ＧＦが載置される複数の景品載置部４と、景品載置部４を前方へ引き出す引き出し手段５と、引き出し手段５を景品室３内で所望位置に移動させる移動装置６と、景品室３の底部前方に開口した景品落下口（図示せず）とが設けられている。
【００２０】
図１および図２に示すように、景品載置部４は景品室３内において略鉛直な平面内に複数配設されている。これにより、景品載置部４が傾斜して景品ＧＦが前方へ落下する際に、落下する景品ＧＦが他の景品載置部４に接触することを防止することができる。また、図２に示すように、景品室３の内部に景品載置部４として大きさの異なるものが種々配設されており、大きさの異なる景品を景品室３内に配置することができるようになっている。さらに、図３に示すように、同じ大きさの景品載置部１０４を景品室３の内部に複数配設することもでき、景品の大きさ（種類）によって景品載置部の大きさおよび配置を変更することができるようになっている。
【００２１】
ゲーム機本体２の前面部分には、ゲーム機本体２の内部で景品落下口（図示せず）と連通する景品取出口７と、引き出し手段５（移動装置６）を操作するための上下操作スイッチ８ａおよび左右操作スイッチ８ｂと、コイン投入口９とが設けられている。図１に示すように、引き出し手段５、景品取出口７、各操作スイッチ８ａ，８ｂおよびコイン投入口９は、景品取得ゲーム機１の左右にそれぞれ設けられており、２人同時にゲームを行うことができるようになっている。なお、１人用の景品取得ゲーム機でもよく、３人（複数人）用の景品取得ゲーム機でもよい。
【００２２】
景品載置部4は、図4および図５に示すように、景品ＧＦが載置されるトレイ１４１と、トレイ１４１の側部中央に取り付けられた左右の前輪４２ａと、トレイ１４１の側部後方に取り付けられた左右の後輪４２ｂとを主体に構成され、景品室３に配設されたトレイ収容部３１に前後方向へスライド移動可能に収容される。トレイ収容部３１は、樹脂材料や金属材料を用いて、前方に開口した方形箱状に形成され、内部に景品載置部4が収容されるようになっている。そして、景品室３内で複数のトレイ収容部３１を左右に並べ上方へ積み重ねて結合することにより、複数の景品載置部４が景品室３内において略鉛直な平面内に配設される。
【００２３】
トレイ収容部３１の内側下部には、景品載置部4を支持する左右一対のガイドレール部材３５が互いに対向して配設されている。ガイドレール部材３５は、図４および図６に示すように、樹脂材料を用いて断面視コの字形に前後方向へ延びて形成され、景品載置部4を前後方向へスライド移動可能に支持するように構成される。
【００２４】
ガイドレール部材３５の下部にはレール部３６が形成されており、このレール部３６の上を景品載置部4の前輪４２ａおよび後輪４２ｂが転がるようになっている。ガイドレール部材３５の上部には、レール部３６と対向してガイド部３７が形成されており、前輪４２ａおよび後輪４２ｂの上方への移動、すなわち景品載置部4の上方への移動を規制するようになっている。なお、レール部３６とガイド部３７との間隔は、前輪４２ａおよび後輪４２ｂの直径より若干大きくなっている。
【００２５】
ガイド部３７の中央には逃げ部３８が形成されており、図６の二点鎖線で示すように、景品載置部4が所定引き出し位置に達して前方へ揺動する際に、後輪４２ｂが通過するようになっている。ガイドレール部材３５の前端部にはストッパー部３９が形成されており、景品載置部4が所定引き出し位置に達すると前輪４２ａが当接し、景品載置部4の前方への移動が規制されるようになっている。
【００２６】
さて、景品載置部４のトレイ１４１は、図４および図５に示すように、樹脂材料や金属材料を用いて、上方に開口した浅い箱状に形成され、景品ＧＦが載置されるようになっている。トレイ１４１の底部には、トレイ１４１（景品載置部４）を傾斜可能な傾斜手段４３が設けられている。傾斜手段４３は、トレイ１４１の底部中央に枢結された板部材４４と、トレイ１４１を板部材４４に対して傾斜する方向へ付勢するねじりコイルバネ４５とを備えて構成される。
【００２７】
板部材４４は、樹脂材料や金属材料を用いて、一端が円弧状に曲げられた板状に形成され、他端側がトレイ１４１の底部中央に枢結されて、トレイ１４１が板部材４４に対して揺動するようになっている。ねじりコイルバネ４５は、トレイ１４１と板部材４４との枢結部分に配設され、トレイ１４１を板部材４４に対して前方へ傾斜する方向へ付勢するように構成される。そして、景品載置部４は、板部材４４の一端がトレイ収容部３１の底部に当接して、ねじりコイルバネ４５の付勢力を受けた状態でトレイ収容部３１内に収容され、景品載置部４が所定引き出し位置に達すると、図６に示すように、景品載置部４の後輪４２ｂがガイドレール部材３５の逃げ部３８を通過して、景品載置部４が前方へ揺動するようになっている。
【００２８】
景品載置部４に構成されるトレイ１４１の前端部には、図４〜図６に示すように、可撓性を有するロッド部４６と、ロッド部４６の前端に吊り下げられた紐状部材４７と、紐状部材４７の下端部に設けられた目標部材４８とが設けられている。なお、図５において、紐状部材４７および目標部材４８の記載は省略されている。ロッド部４６は、板バネ等の金属材料や樹脂材料を用いて可撓性を有する円弧状に形成され、景品載置部４（トレイ１４１）と紐状部材４７との間に跨って配設される。これにより、ロッド部４６の長さや弾性率等（すなわち、撓みやすさ）を変更することにより、景品取得ゲーム機１における景品払出率の調整をより容易に行うことができる。
【００２９】
紐状部材４７は、繊維材料（例えば、糸や布等）や皮革材料、樹脂材料（例えば、ナイロン）および金属材料（例えば、鎖状部材やキーチェーン）等を用いて紐状に形成され、ロッド部４６の前端に吊り下げられる。目標部材４８は、金属材料や樹脂材料を用いて左右方向へ延びる円柱状に形成され、（目標部材４８が）略水平状態となるように目標部材４８の胴部中央が紐状部材４７の下端部に連結される。
【００３０】
引き出し手段５は、図７に示すように、装置本体部５１と、装置本体部５１に伸縮自在に設けられたアーム部５２と、アーム部５２の先端に設けられた係止部５３と、アーム部５２を伸縮させるアーム伸縮装置５５とを主体に構成される。装置本体部５１は、移動装置６に構成されるガイドレール６１に取り付けられており、内部にアーム伸縮装置５５が配設されている。アーム部５２は、いわゆる入れ子式の構造であり、基端部が装置本体部５１に結合されて前後方向へ伸縮自在に構成される。係止部５３は、図８に示すように、目標部材４８に係止可能な２本の爪を有する鋤状に形成され、アーム部５２（先端アーム５２ａ）の先端に結合される。これにより、係止部５３の構造を簡潔にすることができる。
【００３１】
アーム伸縮装置５５は、アーム部５２の先端アーム５２ａに連結された押出部材５６と、押出部材５６が巻き取られたリール５７と、リール５７を回転駆動（正逆転駆動）するリールモータ（図示せず）とを備えて構成される。押出部材５６は、詳細図示しないが、金属線材を用いて長尺コイルバネ形に形成されており、先端がアーム部５２の先端アーム５２ａに連結されてリール５７に巻き取られた状態で使用に供される。
【００３２】
そして、リールモータを正転（図７における反時計回りに）駆動させ、リール５７から押出部材５６を繰り出して（押出部材５６と連結された）アーム部５２の先端アーム５２ａを押し出すことにより、アーム部５２を伸長させることができるようになっている。さらに、リールモータを反転（図７における時計回りに）駆動させ、リール５７へ押出部材５６を巻き取って（押出部材５６と連結された）アーム部５２の先端アーム５２ａを引っ張ることにより、アーム部５２を縮小させることができるようになっている。このようにして、アーム伸縮装置５５を用いてアーム部５２を伸縮させることができる。
【００３３】
移動装置６は、図１に示すように、引き出し手段５が上下移動自在に取り付けられるガイドレール６１と、ガイドレール６１を左右へ移動させる左右移動装置６２と、引き出し手段５を上下方向へ移動させる上下移動装置６３（図７を参照）とを備えて構成される。ガイドレール６１は、図１に示すように、景品室３の内側前部に上下方向へ延びて配設されており、景品室３内において左右方向へ移動自在に構成される。左右移動装置６２は、図１に示すように、景品室３の内側前下部に配設されており、詳細図示しないが、左右に延びて巻き掛けられたベルト（図示せず）と、ベルトの一部とガイドレール６１とを連結する連結部材（図示せず）と、ベルトを回転駆動するモータ（図示せず）とを主体に構成され、モータ駆動によるベルトの回転に伴って、ガイドレール６１および引き出し手段５が左右へ移動するようになっている。
【００３４】
上下移動装置６３は、図７に示すように、ガイドレール６１の内側に配設されており、詳細図示しないが、上下に延びて巻き掛けられたベルト（図示せず）と、ベルトの一部と引き出し手段５の装置本体部５１とを連結する連結部材（図示せず）と、ベルトを回転駆動するモータ（図示せず）とを主体に構成され、モータ駆動によるベルトの回転に伴って、引き出し手段５がガイドレール６１に沿って上下方向へ移動するようになっている。そして、移動装置６に構成される左右移動装置６２および上下移動装置６３を組み合わせて作動させることにより、引き出し手段５を景品室３の前部内側において上下および左右方向へ移動させることができる。
【００３５】
このように構成される景品取得ゲーム機１において、遊技者がコイン投入口９に所定金額のコインを投入するとゲームが開始される。そこで、図１に示す左側の引き出し手段５を用いてゲームを行う場合について説明する。まず、引き出し手段５が移動装置６により景品室３内の左下部に設定された所定待機位置（図示せず）から上方へ移動し、引き出し手段５が上下方向における所望位置に達したときに上下操作スイッチ８ａが操作される。そうすると、引き出し手段５が一旦停止したのち停止位置から右方へ移動し、引き出し手段５が左右方向における所望位置に達したときに左右操作スイッチ８ｂが操作される。このとき、引き出し手段５が左右方向（および上下方向）における所望位置で停止し、図９（ａ）に示すように、引き出し手段５に構成されるアーム部５２が後方へ伸長する。
【００３６】
このようにして、引き出し手段５が左右方向および上下方向における所望位置まで移動すると、そこで引き出し手段５に構成されるアーム部５２がアーム伸縮装置５５の伸長作動により後方へ伸長する。そして、アーム部５２が所定の長さまで伸長すると、アーム伸縮装置５５の縮小作動によりアーム部５２が元の長さまで（すなわち、前方へ）縮小する。このとき、アーム部５２が所定の長さまで伸長した際に、アーム部５２の先端に設けられた係止部５３がうまく目標部材４８に係止していた場合には、引き出し手段５に構成されるアーム部５２が元の長さまで（すなわち、前方へ）縮小することにより、係止部５３が目標部材４８に係止した状態で、目標部材４８および紐状部材４７並びにロッド部４６とともに景品載置部４（トレイ１４１）が前方へ引き出される。
【００３７】
さらに、図９（ｂ）に示すように、景品載置部４を所定引き出し位置まで引き出すことができた場合には、景品載置部４の前輪４２ａがガイドレール部材３５のストッパー部３９に当接し、傾斜手段４３に構成されるねじりコイルバネ４５の付勢力を受けて、図９（ｃ）に示すように、景品載置部４の後輪４２ｂがガイドレール部材３５の逃げ部３８を通過して、景品載置部４（トレイ１４１）が傾斜手段４３の板部材４４に対し相対的に揺動することで前方へ傾斜し、景品載置部４に載置された景品ＧＦは前方へ落下する。そうすると、景品ＧＦは図示しない景品落下口に落下して景品取出口７から出てくることになり、遊技者は景品ＧＦを獲得することができる。
【００３８】
これにより、引き出し手段５により景品載置部４を引き出しやすくしたり、あるいは引き出しにくくすることで、機構の介入を感じさせない簡易かつ自然な構造で、景品取得ゲーム機１における景品払出率の調整を容易に行うことができる。また、引き出し手段５を用いて景品載置部４を引き出すため、形態に囚われずに景品ＧＦを使用することができる。さらに、紐状部材４７の長さを調節したり、係止部５３の形状や弾性率等を変更することにより、係止部５３が目標部材４８に係止する際の難易度を調整することができ、景品取得ゲーム機１における景品払出率の調整をより容易に行うことができる。
【００３９】
そして、引き出し手段５のアーム部５２が元の長さまで縮小すると、係止部５３は目標部材４８から充分に離れて目標部材４８に対する係止状態が確実に解除され、引き出し手段５が移動装置６により景品室３内の所定待機位置（図示せず）まで移動してゲームが終了する。また、景品載置部４が所定引き出し位置まで達する前に目標部材４８が係止部５３から外れた（係止状態が解除された）場合には、景品載置部４は目標部材４８が係止部５３から外れた所でとどまり、同様に、引き出し手段５のアーム部５２が元の長さまで縮小すると、引き出し手段５が移動装置６により景品室３内の所定待機位置（図示せず）まで移動してゲームが終了する。さらに、係止部５３がうまく目標部材４８に係止しなかった場合には、景品載置部４はそのまま動かず、同様にしてゲームが終了する。
【００４０】
なお、図１に示す右側の引き出し手段５を用いてゲームを行う場合についても、同様の操作でゲームを行うことができる。このとき、引き出し手段５の（所定）待機位置は景品室３内の右下部に設定されることが好ましい。
【００４１】
以上に説明した景品取得ゲーム機１によれば、引き出し手段５を用いて景品載置部４を所定引き出し位置まで引き出すことができたとき、景品ＧＦを取得することができるように構成されるため、引き出し手段５により景品載置部４を引き出しやすくしたり、あるいは引き出しにくくすることで、機構の介入を感じさせない簡易かつ自然な構造で、景品取得ゲーム機１における景品払出率の調整を容易に行うことができる。また、引き出し手段５を用いて景品載置部４を引き出すため、形態に囚われずに景品ＧＦを使用することができる。
【００４２】
また、引き出し手段５の先端に設けられた係止部５３が目標部材４８に係止した状態で、引き出し手段５により目標部材４８および紐状部材４７とともに景品載置部４が引き出されるようにすることで、紐状部材４７の長さを調節したり、係止部５３の形状や弾性率等を変更することにより、係止部５３が目標部材４８に係止する際の難易度を調整することができ、景品取得ゲーム機１における景品払出率の調整をより容易に行うことができる。
【００４３】
さらに、景品載置部４と紐状部材４７との間に跨って、可撓性を有するロッド部４６が設けられることで、ロッド部４６の長さや弾性率等（すなわち、撓みやすさ）を変更することにより、景品取得ゲーム機１における景品払出率の調整をより容易に行うことができる。
【００４４】
また、係止部５３が目標部材４８に係止可能な２本の爪を有して構成されることで、係止部５３の構造を簡潔にすることができる。
【００４５】
さらに、景品載置部４が略鉛直な平面内に複数配設されることで、景品載置部４が傾斜して景品ＧＦが前方へ落下する際に、落下する景品ＧＦが他の景品載置部４に接触することを防止することができる。
【００４６】
次に、景品取得ゲーム機の第二実施形態について図１０から図１８を参照しながら説明する。なお、第二実施形態の景品取得ゲーム機１１０は、上述した第一実施形態の景品取得ゲーム機１における景品載置部４、引き出し手段５、および移動装置６の装置構成のみ異なり、他の装置構成は同様であるため同一部位に同一番号を付して重複説明を省略する。
【００４７】
第二実施形態の景品取得ゲーム機１１０は、第一実施形態の景品取得ゲーム機１と同様、図１０に示すように、ゲーム機本体２と、景品室３とを主体に構成される。景品室３の内部には、景品ＧＦが載置される複数の景品載置部１４０と、景品載置部１４０を前方へ引き出す引き出し手段１５０と、引き出し手段１５０を景品室３内で所望位置に移動させる移動装置１６０と、景品室３の底部前方に開口した景品落下口（図示せず）とが設けられる。
【００４８】
景品載置部１４０は、第一実施形態の景品取得ゲーム機１と同様に、景品室３内において略鉛直な平面内に複数配設される。これにより、景品載置部１４０が傾斜して景品ＧＦが前方へ落下する際に、落下する景品ＧＦが他の景品載置部１４０に接触することを防止することができる。なお、景品室３の内部に景品載置部１４０として大きさの異なるものを種々配設して、大きさの異なる景品を景品室３内に配置することもできる。
【００４９】
ゲーム機本体２の前面部分には、景品取出口７と、上下操作スイッチ８ａおよび左右操作スイッチ８ｂと、コイン投入口９とが設けられる。また、引き出し手段１５０、景品取出口７、各操作スイッチ８ａ，８ｂおよびコイン投入口９は、景品取得ゲーム機１１０の左右にそれぞれ設けられており、２人同時にゲームを行うことができるようになっている。なお、第一実施形態の景品取得ゲーム機１と同様に、１人用の景品取得ゲーム機でもよく、３人（複数人）用の景品取得ゲーム機でもよい。
【００５０】
景品載置部１４０は、図１１および図１２に示すように、景品ＧＦが載置されるトレイ１４１と、トレイ１４１が固定保持された第１トレイベース１４２と、第１トレイベース１４２が揺動可能に枢結された第２トレイベース１４６とを主体に構成され、景品室３の内部に配設されたトレイ収容部１３２（図１１を参照）に前後方向へスライド移動可能に収容される。トレイ収容部１３２は、金属板材を用いて、切断、折り曲げ、溶接等の加工手段により樋状に形成され、景品室３の内部に配設された棚部１３１（図１１を参照）に左右へ並ぶようにそれぞれ固定される。
【００５１】
図１１に示すように、トレイ収容部１３２の左右下部には、第１レール部１３３が前後方向へ延びるように形成されており、第２トレイベース１４６に設けられた前輪１４７および後輪１４８の上方への移動、すなわち第２トレイベース１４６の上方への移動が規制されるようになっている。
【００５２】
また、トレイ収容部１３２の左右上部には、第２レール部１３５が前後方向へ延びるように形成されており、第１トレイベース１４２に設けられた第３ガイドローラ１４４の上方への移動、すなわち第１トレイベース１４２の上方への移動が規制されるようになっている。第２レール部１３５の前方には、ガイド部１３６が上下に延びて形成されており、このガイド部１３６と第２レール部１３５の前端に形成された折り曲げ部１３５ａとの間に、第１トレイベース１４２の第３ガイドローラ１４４が通過可能なローラ通過部１３７が形成されるようになっている。
【００５３】
そして、図１２の二点鎖線で示すように、景品載置部１４０が所定引き出し位置に達して前方へ揺動する際に、第１トレイベース１４２の第３ガイドローラ１４４がローラ通過部１３７を通過するようになっている。なおこのとき、第１トレイベース１４２の第１ガイドローラ１４３は、ガイド部１３６と棚部１３１との間隙部を通過してガイド部１３６の上部前面側に当接するようになっている（図１２の二点鎖線を参照）。
【００５４】
さて、景品載置部１４０のトレイ１４１は、図１１および図１２に示すように、樹脂材料を用いて上方に開口した箱状に形成され、景品ＧＦが載置されるようになっている。トレイ１４１の底部は、ネジ等の固定手段を用いて第１トレイベース１４２に固定されている。トレイ１４１の前端部には、図１１および図１２に示すように、トレイ１４１に連結されたロッド部１８１と、ロッド部１８１の前端に吊り下げられた紐状部材１８２と、紐状部材１８２の下端部に設けられた目標部材１８３とが設けられている。なお、図３において、紐状部材１８２および目標部材１８３の記載は省略されている。
【００５５】
ロッド部１８１は、金属材料や樹脂材料を用いて小径管状に形成され、景品載置部１４０（トレイ１４１）と紐状部材１８２との間に跨って配設される。紐状部材１８２は、繊維材料（例えば、糸や布等）や皮革材料、樹脂材料（例えば、ナイロン）および金属材料（例えば、鎖状部材やキーチェーン）等を用いて紐状に形成され、ロッド部１８１の前端に吊り下げられる。目標部材１８３は、金属材料や樹脂材料を用いてリング状に形成され、（目標部材１８３が）景品取得ゲーム機１１０の前面側に対向するように目標部材１８３の上端が紐状部材１８２の下端部に連結される。
【００５６】
トレイ１４１が固定保持される第１トレイベース１４２は、金属板材を用いて、切断、折り曲げ等の加工手段により、左右が下方へ折り曲げられた板状に形成される。第１トレイベース１４２の側部下方には、左右の第１ガイドローラ１４３が設けられており、トレイ収容部１３２の底部と第２レール部１３５との間を通過可能に構成されている。第１トレイベース１４２の側部後方には、左右の第３ガイドローラ１４４が設けられており、同様に、トレイ収容部１３２の底部と第２レール部１３５との間を通過可能に構成されている。また、図１３に示すように、第１トレイベース１４２の中央部には、第１枢結部１４５が下方へ延びるように形成されており、枢結軸１７１を介して第２トレイベース１４６が枢結されるようになっている。
【００５７】
第２トレイベース１４６は、金属板材を用いて、切断、折り曲げ等の加工手段により、左右が下方へ折り曲げられた板状に形成され、第１トレイベース１４２の下面側にほぼ重なるように構成される。第２トレイベース１４６の側部下方には、左右の前輪１４７および後輪１４８が設けられており、トレイ収容部１３２の底部を転がり移動可能に構成されている。これにより、景品載置部１４０がトレイ収容部１３２内で前後方向へスライド移動可能となる。また、図１３に示すように、第２トレイベース１４６の側部前方に延びて、第１トレイベース１４２の第１枢結部１４５と枢結される第２枢結部１４９が形成されている。
【００５８】
また、枢結軸１７１には、トレイ１４１（景品載置部１４０）を傾斜可能な傾斜手段１７２が設けられている。傾斜手段１７２は、第１枢結部１４５に枢結された揺動部材１７２ａと、揺動部材１７２ａの後端部に連結された摺接部材１７２ｂと、トレイ１４１および第１トレイベース１４２を揺動部材１７２ａに対し傾斜する方向へ付勢する傾斜付勢バネ１７３とを有して構成される。
【００５９】
揺動部材１７２ａは、金属板材を用いて左右前部が上方へ折り曲げられた板状に形成され、前端部が枢結軸１７１を介して第１枢結部１４５に枢結されて、トレイ１４１および第１トレイベース１４２が揺動部材１７２ａに対して揺動するようになっている。摺接部材１７２ｂは、金属板材を用いて後部が下方へ折れ曲がり傾斜した薄板状に形成され、後端部がトレイ収容部１３２に設けられた摺接プレート１７７に摺接するようになっている。傾斜付勢バネ１７３は、枢結軸１７１に取り付けられたねじりコイルバネであり、トレイ１４１および第１トレイベース１４２を揺動部材１７２ａに対して前方へ傾斜する方向へ付勢するように構成される。
【００６０】
景品載置部１４０は、摺接部材１７２ｂの後端がトレイ収容部１３２の底部に設けられた摺接プレート１７７に摺接して、トレイ１４１および第１トレイベース１４２が傾斜付勢バネ１７３の付勢力を受けた状態でトレイ収容部１３２内に収容される。そして、景品載置部１４０が所定引き出し位置に達すると、第１トレイベース１４２の第３ガイドローラ１４４がトレイ収容部１３２のローラ通過部１３７を通過するとともに、第１トレイベース１４２の第１ガイドローラ１４３がトレイ収容部１３２のガイド部１３６と棚部１３１との間隙部を通過して、トレイ１４１および第１トレイベース１４２、すなわち景品載置部１４０が前方へ揺動するようになっている。
【００６１】
ところで、トレイ収容部１３２の底部中央には、図１３に示すように、前述した摺接プレート１７７と、摺接プレート１７７を支持するベースプレート１７５とが設けられている。ベースプレート１７５は、金属板材を用いて前後方向へ延びる板状に形成される。ベースプレート１７５には、複数の鋼球保持穴１７５ａ（図１４を参照）が所定間隔をおいて形成されており、この鋼球保持穴１７５ａの内部に鋼球１７６がそれぞれ配設されている。
【００６２】
摺接プレート１７７は、金属板材を用いてベースプレート１７５の形状に合わせた前後方向へ延びる薄板状に形成される。そして、ベースプレート１７５および摺接プレート１７７は、図１３に示すように、この順に重ねられた状態でトレイ収容部１３２に形成されたプレート保持部１７８に固定保持され、摺接プレート１７７の上に摺接部材１７２ｂの後端部が摺接するようになっている。摺接プレート１７７には、図１４に示すように、複数の通過穴１７７ａが鋼球保持穴１７５ａと位置整合するように形成されている。通過穴１７７ａの径は、鋼球１７６の径より若干小さくなっており、ベースプレート１７５の上に摺接プレート１７７が重ねられた状態で、鋼球１７６が鋼球保持穴１７５ａの内部で保持されるとともに、鋼球１７６の上部がこの通過穴１７７ａを通過して摺接プレート１７７の上部に突出する突起部を形成するようになっている。
【００６３】
これにより、摺接部材１７２ｂは後部が下方へ折れ曲がり傾斜した薄板状に形成されているため、景品載置部１４０が前方へスライド移動する場合、摺接部材１７２ｂは鋼球１７６の上部（突起部）を比較的滑らかに通過（摺動）できるが、景品載置部１４０が後方へスライド移動する場合、摺接部材１７２ｂが鋼球１７６の上部（突起部）を通過（摺動）する際に若干引っ掛かり、景品載置部１４０が後方へ移動するのに比較的大きな力を必要とする。すなわち、摺接部材１７２ｂの後方への摺動に対する摺動抵抗は、（摺接部材１７２ｂの）前方への摺動に対する摺動抵抗よりも大きくなる。そのため、引き出し手段１５０を用いて景品載置部１４０を引き出す際に、引き出し手段１５０の係止部１５２が景品載置部１４０のトレイ１４１等に当接してしまっても、景品載置部１４０が容易に後方へ移動してしまうことを防止することができる。
【００６４】
また、鋼球１７６により形成される突起部は、摺接プレート１７７の延設方向、すなわち景品載置部１４０の移動方向である前後方向に対して（若干）傾斜する方向に連続して設けられることが好ましい。このようにすれば、摺接部材１７２ｂの一部だけに鋼球１７６の上部（突起部）が摺接して、摺接部材１７２ｂの一部が早く摩耗してしまうのを防止することができる。
【００６５】
引き出し手段１５０は、図１５および１６に示すように、係止装置１５１と、係止装置１５１を前後方向へ移動させる伸縮アーム装置２００とを主体に構成される。係止装置１５１は、図１５に示すように、目標部材１８３に係止可能な係止部１５２と、係止部１５２が揺動自在に枢結される揺動連結部材１５４と、係止部１５２と揺動連結部材１５４とを枢結する揺動軸１５６と、揺動軸１５６に取り付けられた係止部付勢バネ１５７とを備えて構成される。
【００６６】
係止部１５２は、図１７に示すように、目標部材１８３に係止可能な２本の爪を有する鋤状に形成され、揺動軸１５６を用いて揺動連結部材１５４に揺動自在に枢結される。これにより、係止部１５２の構造を簡潔にすることができる。また、係止部１５２は、揺動連結部材１５４に対し、図１５に示すように、係止部１５２が略鉛直方向に向く鉛直位置と、係止部１５２が前下方向に向く揺動位置との間で揺動自在に枢結されるようになっている。係止部１５２の先端部近傍には、突起用ネジ１５３が設けられており、係止部１５２が目標部材１８３に係止しやすいようになっている。
【００６７】
揺動連結部材１５４は、図１５および図１６に示すように、伸縮アーム装置２００に構成される先端アーム２５０の先端に結合されており、これにより、係止部１５２が先端アーム２５０の先端に揺動自在に連結される。揺動連結部材１５４の下部には、センサ当接部１５５が下方へ延びて形成されており、伸縮アーム装置２００のセンサ板２８０に当接可能に構成されている。係止部付勢バネ１５７は、揺動軸１５６に取り付けられたねじりコイルバネであり、係止部１５２に対して鉛直位置へ向かう付勢力を与えるように構成される。
【００６８】
伸縮アーム装置２００は、図１５に示すように、基端アーム２１０と、基端アーム２１０の内部に回転自在に嵌合された筒状部２２０と、筒状部２２０の内部に挿嵌された第１中間アーム２３０と、第１中間アーム２３０の内部に挿嵌された第２中間アーム２４０と、第２中間アーム２４０の内部に挿嵌された先端アーム２５０と、基端アーム２１０と先端アーム２５０とに連結された内部アーム２６０と、筒状部２２０を回転駆動する回転駆動部２７０とを備えて構成される。なお、各アーム２１０，２３０，２４０，２５０は、いわゆる入れ子式の構造であり、前後方向（すなわち、筒状部２２０の回転軸方向）へ伸縮自在に構成される。
【００６９】
基端アーム２１０は、金属材料を用いて筒状に形成され、回転駆動部２７０の筐体部２７４に取り付けられる。基端アーム２１０の側部には窓部２１１が形成されており、回転駆動部２７０の回転部材２７３が通過するようになっている。基端アーム２１０の基端部に有底筒状の第１保持部材２１２が取り付けられるとともに、基端アーム２１０の先端部に筒状の第２保持部材２１３が取り付けられており、第１および第２保持部材２１２，２１３を用いて、筒状部２２０が基端アーム２１０の内部に嵌合保持されるようになっている。また、各保持部材２１２，２１３と筒状部２２０との間には、複数の回転ボール２１４が設けられており、筒状部２２０が基端アーム２１０の内部で滑らかに回転できるようになっている。なお、有底筒状の第１保持部材２１２により、基端アーム２１０の基端部が塞がれている。
【００７０】
筒状部２２０は、金属材料を用いて筒状に形成され、上述したように、基端アーム２１０の内部に回転自在に嵌合保持される。筒状部２２０の外周部には、基端アーム２１０の窓部２１１の位置に合わせてＶ溝２２１が形成されており、回転部材２７３に設けられたＯリング２７３ａが当接するようになっている。筒状部２２０の内周部先端には、筒状の第１ネジ状部材２２５が圧入取付される。
【００７１】
第１ネジ状部材２２５は、ポリアセタール樹脂等の樹脂材料を用いて筒状に形成され、内周部に第１中間アーム２３０の第１ネジ溝２３１と螺合可能な第１突起部２２６が形成される。第１突起部２２６は、第１ネジ溝２３１の形状に合わせて形成された雄ネジ状の突起（例えば、１７５度のネジ回転角度分だけ形成された雄ネジ状の突起）であり、第１ネジ状部材２２５の内周部４箇所（すなわち、筒状部２２０の内周部先端４箇所）に設けられる。
【００７２】
第１中間アーム２３０は、金属材料を用いて筒状に形成され、第１ネジ状部材２２５を用いて、筒状部２２０の内部に前後方向（筒状部２２０の回転軸方向）へ移動可能に且つ筒状部２２０の回転軸を中心に回転可能に嵌合保持される。第１中間アーム２３０の外周部全体にわたり、第１ネジ状部材２２５の第１突起部２２６と螺合可能な第１ネジ溝２３１（右ネジ）が形成されており、筒状部２２０（および第１ネジ状部材２２５）の回転に伴って、第１中間アーム２３０が前後方向（筒状部２２０の回転軸方向）へ移動するようになっている。第１中間アーム２３０の内周部先端には、筒状の第２ネジ状部材２３５が圧入取付される。
【００７３】
第２ネジ状部材２３５は、第１ネジ状部材２２５と同様に、ポリアセタール樹脂等の樹脂材料を用いて筒状に形成され、内周部に第２中間アーム２４０の第２ネジ溝２４１と螺合可能な第２突起部２３６が形成される。第２突起部２３６は、第１突起部２２６と同様に、第２ネジ溝２４１の形状に合わせて形成された雄ネジ状の突起（例えば、１７５度のネジ回転角度分だけ形成された雄ネジ状の突起）であり、第２ネジ状部材２３５の内周部４箇所（すなわち、第１中間アーム２３０の内周部先端４箇所）に設けられる。
【００７４】
第２中間アーム２４０は、第１中間アーム２３０と同様に、金属材料を用いて筒状に形成され、第２ネジ状部材２３５を用いて、第１中間アーム２３０の内部に前後方向（筒状部２２０の回転軸方向）へ移動可能に且つ筒状部２２０（第１中間アーム２３０）の回転軸を中心に回転可能に嵌合保持される。第２中間アーム２４０の外周部全体にわたり、第２ネジ状部材２３５の第２突起部２３６と螺合可能な第２ネジ溝２４１（右ネジ）が形成されており、第１中間アーム２３０（および第２ネジ状部材２３５）の回転に伴って、第２中間アーム２４０が前後方向（筒状部２２０の回転軸方向）へ移動するようになっている。第２中間アーム２４０の内周部先端には、筒状の第３ネジ状部材２４５が圧入取付される。
【００７５】
第３ネジ状部材２４５は、第１ネジ状部材２２５と同様に、ポリアセタール樹脂等の樹脂材料を用いて筒状に形成され、内周部に先端アーム２５０の第３ネジ溝２５１と螺合可能な第３突起部２４６が形成される。第３突起部２４６は、第１突起部２２６と同様に、第３ネジ溝２５１の形状に合わせて形成された雄ネジ状の突起（例えば、１７５度のネジ回転角度分だけ形成された雄ネジ状の突起）であり、第３ネジ状部材２４５の内周部４箇所（すなわち、第２中間アーム２４０の内周部先端４箇所）に設けられる。
【００７６】
先端アーム２５０は、金属材料を用いて筒状に形成され、第３ネジ状部材２４５を用いて、第２中間アーム２４０の内部に前後方向（筒状部２２０の回転軸方向）へ移動可能に嵌合保持される。先端アーム２５０の外周部全体にわたり、第３ネジ状部材２４５の第３突起部２４６と螺合可能な第３ネジ溝２５１（右ネジ）が形成されており、第２中間アーム２４０（および第３ネジ状部材２４５）の回転に伴って、先端アーム２５０が前後方向（筒状部２２０の回転軸方向）へ移動するようになっている。先端アーム２５０の先端内部には、円柱状の係止装置固定部材２５５が固設されており、この係止装置固定部材２５５に係止装置１５１の揺動連結部材１５４がネジ固定（結合）されるようになっている。
【００７７】
内部アーム２６０は、入れ子式に複数段設けられた多段式アームであり、前後方向（すなわち、筒状部２２０の回転軸方向）へ伸縮自在に構成される。そして、内部アーム２６０は、基端アーム２１０および筒状部２２０、そして第１中間アーム２３０および第２中間アーム２４０に内在した状態で、基端アーム２１０の基端部に取り付けられた第１保持部材２１２と先端アーム２５０基端部とに連結され、第１中間アーム２３０や第２中間アーム２４０の回転に拘わらず先端アーム２５０の基端アーム２１０に対する相対回転が規制されるようになっている。
【００７８】
回転駆動部２７０は、ＤＣモータ２７１と、ＤＣモータ２７１に回転駆動される回転部材２７３と、これらが収容される筐体部２７４とを主体に構成される。ＤＣモータ２７１のモータ軸２７２は、連結軸２７５および連結軸２７５の基端部に設けられたトルクリミッタ２７７を介して回転部材２７３と連結されており、モータ軸２７２の回転に伴って回転部材２７３が回転するようになっている。また、連結軸２７５の先端部はワンウェイクラッチ２７６を介して回転部材２７３と連結される。
【００７９】
ワンウェイクラッチ２７６は、連結軸２７５が正転（例えば、伸縮アーム装置２００の基端側から見て時計回りに回転）するときは、連結軸２７５の回転力が伝達されず、連結軸２７５が逆転（例えば、伸縮アーム装置２００の基端側から見てから見て反時計回りに回転）するときに、連結軸２７５の回転力が伝達されるようになっている。これにより、モータ軸２７２が正転（例えば、伸縮アーム装置２００の基端側から見て時計回りに回転）するときには、モータ軸２７２の回転力が連結軸２７５およびトルクリミッタ２７７を介して回転部材２７３に伝達され、モータ軸２７２が逆転（例えば、伸縮アーム装置２００の基端側から見てから見て反時計回りに回転）するときには、モータ軸２７２の回転力が連結軸２７５およびワンウェイクラッチ２７６（もしくは、トルクリミッタ２７７）を介して回転部材２７３に伝達される。
【００８０】
回転部材２７３は、金属材料や樹脂材料を用いて円盤状に形成され、回転部材２７３の外周部にＯリング２７３ａが取り付けられる。このＯリング２７３ａは、ゴム材料を用いてリング状に形成されており、筒状部２２０のＶ溝２２１に当接するようになっている。これにより、Ｏリング２７３ａとＶ溝２２１との摩擦力を利用して回転部材２７３の回転力を筒状部２２０に伝達することができ、回転部材２７３の回転に伴って筒状部２２０を回転させることができる。なお、回転部材２７３の先端には、スリットを有する回転円板２７８が設けられており、回転部材２７３の回転が回転円板２７８を介して回転検出センサ２７９に検出されるようになっている。
【００８１】
筐体部２７４は、金属板材を用いて上方に開口を有する矩形箱状に形成され、筐体部２７４の内部に回転駆動部２７０の構成部品（ＤＣモータ２７１等）が収容されるとともに、筐体部２７４の開口部を覆うように基端アーム２１０が取り付けられるようになっている。また、筐体部２７４は、図示しない取付ステーを用いて移動装置１６０の上下移動装置１６３に取り付けられるようになっている。なお、筐体部２７４の先端下部には、センサ板２８０が前後方向へ揺動可能に取り付けられており、係止装置１５１のセンサ当接部１５５がセンサ板２８０に当接すると、センサ板２８０が筐体部２７４の内方（後方）へ揺動し、図示しない縮小検出センサに検出されるようになっている。
【００８２】
移動装置１６０は、図１０に示すように、上下に延びるガイドレール１６１と、ガイドレール１６１を左右へ移動させる左右移動装置１６２と、引き出し手段１５０を上下方向へ移動させる上下移動装置１６３とを備えて構成される。ガイドレール１６１は、景品室３の内側前部に上下方向へ延びて配設されており、景品室３内において左右方向へ移動自在に構成される。左右移動装置１６２は、景品室３の内側前下部に配設されており、詳細図示しないが、左右に延びて巻き掛けられた円環状のワイヤー（図示せず）と、ワイヤーの一部とガイドレール１６１とを連結する連結部材（図示せず）と、ワイヤーを回転駆動するモータ（図示せず）とを主体に構成され、モータ駆動によるワイヤーの回転に伴って、ガイドレール１６１および引き出し手段１５０が左右へ移動するようになっている。
【００８３】
上下移動装置１６３は、ガイドレール１６１の内側に配設されており、詳細図示しないが、上下に延びて巻き掛けられた円環状のワイヤー（図示せず）と、ワイヤーの一部と引き出し手段１５０の筐体部２７４とを連結する連結部材（図示せず）と、ワイヤーを回転駆動するモータ（図示せず）とを主体に構成され、モータ駆動によるワイヤーの回転に伴って、引き出し手段１５０がガイドレール１６１に沿って上下方向へ移動するようになっている。そして、移動装置１６０に構成される左右移動装置１６２および上下移動装置１６３を組み合わせて作動させることにより、引き出し手段１５０を景品室３の前部内側において上下および左右方向へ移動させることができる。
【００８４】
このように構成される景品取得ゲーム機１１０において、第一実施形態の景品取得ゲーム機１と同様に、遊技者がコイン投入口９に所定金額のコインを投入するとゲームが開始される。図１０に示す左側の引き出し手段１５０を用いて遊技者がゲームを行う場合、まず、引き出し手段１５０が移動装置１６０により景品室３内の左下部に設定された所定待機位置（図示せず）から上方へ移動し、引き出し手段１５０が上下方向における所望位置に達したときに上下操作スイッチ８ａが操作される。そうすると、引き出し手段１５０が一旦停止したのち停止位置から右方へ移動し、引き出し手段１５０が左右方向における所望位置に達したときに左右操作スイッチ８ｂが操作される。このとき、引き出し手段１５０が左右方向（および上下方向）における所望位置で停止し、図１８（ａ）に示すように、引き出し手段１５０に構成される伸縮アーム装置２００が後方へ伸長する。
【００８５】
そして、伸縮アーム装置２００が所定の長さまで伸長すると、そこから伸縮アーム装置２００が元の長さまで（すなわち、前方へ）縮小する。このとき、伸縮アーム装置２００が所定の長さまで伸長した際に、伸縮アーム装置２００の先端に設けられた係止部１５２がうまく目標部材１８３に係止していた場合には、伸縮アーム装置２００が元の長さまで（すなわち、前方へ）縮小することにより、係止部１５２が目標部材１８３に係止した状態で、図１８（ｂ）に示すように、目標部材１８３および紐状部材１８２並びにロッド部１８１とともに景品載置部１４０（トレイ１４１）が前方へ引き出される。
【００８６】
さらに、景品載置部１４０を所定引き出し位置まで引き出すことができた場合には、傾斜手段１７２に構成される傾斜付勢バネ１７３の付勢力を受けて、第１トレイベース１４２の第３ガイドローラ１４４がトレイ収容部１３２のローラ通過部１３７を通過するとともに、第１トレイベース１４２の第１ガイドローラ１４３がトレイ収容部１３２のガイド部１３６と棚部１３１との間隙部を通過して、図１８（ｃ）に示すように、景品載置部１４０（トレイ１４１および第１トレイベース１４２）が傾斜手段１７２の揺動部材１７２ａに対し相対的に揺動することで前方へ傾斜し、景品載置部１４０に載置された景品ＧＦは前方へ落下する。そうすると、景品ＧＦは図示しない景品落下口に落下して景品取出口７から出てくることになり、遊技者は景品ＧＦを獲得することができる。
【００８７】
これにより、引き出し手段１５０により景品載置部１４０を引き出しやすくしたり、あるいは引き出しにくくすることで、機構の介入を感じさせない簡易かつ自然な構造で、景品取得ゲーム機１１０における景品払出率の調整を容易に行うことができる。また、引き出し手段１５０を用いて景品載置部１４０を引き出すため、形態に囚われずに景品ＧＦを使用することができる。さらに、紐状部材１８２の長さを調節したり、係止部１５２の形状や係止部付勢バネ１５７の弾性率等を変更することにより、係止部１５２が目標部材１８３に係止する際の難易度を調整することができ、景品取得ゲーム機１１０における景品払出率の調整をより容易に行うことができる。
【００８８】
そして、伸縮アーム装置２００が元の長さまで縮小すると、係止部１５２は目標部材１８３から充分に離れて目標部材１８３に対する係止状態が確実に解除され、引き出し手段１５０が移動装置６により景品室３内の所定待機位置（図示せず）まで移動してゲームが終了する。また、景品載置部１４０が所定引き出し位置まで達する前に目標部材１８３が係止部１５２から外れた（係止状態が解除された）場合には、景品載置部１４０は目標部材１８３が係止部１５２から外れた所でとどまり、同様に、伸縮アーム装置２００が元の長さまで縮小すると、引き出し手段１５０が移動装置１６０により景品室３内の所定待機位置（図示せず）まで移動してゲームが終了する。さらに、係止部１５２がうまく目標部材１８３に係止しなかった場合には、景品載置部１４０はそのまま動かず、同様にしてゲームが終了する。
【００８９】
なお、図１０に示す右側の引き出し手段１５０を用いてゲームを行う場合についても、同様の操作でゲームを行うことができる。このとき、引き出し手段１５０の（所定）待機位置は景品室３内の右下部に設定されることが好ましい。
【００９０】
ここで、伸縮アーム装置２００の伸縮作動について説明する。ＤＣモータ２７１のモータ軸２７２が正転（例えば、伸縮アーム装置２００の基端側から見て時計回りに回転）すると、モータ軸２７２の回転力が連結軸２７５およびトルクリミッタ２７７を介して回転部材２７３に伝達され、ＤＣモータ２７１の回転駆動により回転部材２７３が時計回りに回転する。回転部材２７３が時計回りに正転すると、回転部材２７３の回転力がＯリング２７３ａを介して筒状部２２０に伝達され、筒状部２２０が反時計回りに回転する。
【００９１】
筒状部２２０が反時計回りに回転すると、第１中間アーム２３０は、第１ネジ溝２３１（右ネジ）が第１ネジ状部材２２５の第１突起部２２６と螺合しているため、（摩擦力により）筒状部２２０とともに若干回転しつつ、筒状部２２０に対して伸縮アーム装置２００の先端側（すなわち、景品取得ゲーム機１１０の後方）へ相対移動する。なお、第１中間アーム２３０が先端側へ相対移動して第１中間アーム２３０の基端部に設けられたストッパ（図示せず）が第１ネジ状部材２２５に当接した場合には、第１中間アーム２３０は筒状部２２０とともに反時計回りに回転する。
【００９２】
第１中間アーム２３０が反時計回りに回転すると、第２中間アーム２４０は、第２ネジ溝２４１（右ネジ）が第２ネジ状部材２３５の第２突起部２３６と螺合しているため、（摩擦力により）第１中間アーム２３０とともに若干回転しつつ、第１中間アーム２３０に対して伸縮アーム装置２００の先端側（すなわち、景品取得ゲーム機１１０の後方）へ相対移動する。なお、第２中間アーム２４０が先端側へ相対移動して第２中間アーム２４０の基端部に設けられたストッパ（図示せず）が第２ネジ状部材２３５に当接した場合には、第２中間アーム２４０は第１中間アーム２３０とともに反時計回りに回転する。
【００９３】
第２中間アーム２４０が反時計回りに回転すると、先端アーム２５０は、第３ネジ溝２５１（右ネジ）が第３ネジ状部材２４５の第２突起部１４６と螺合しているため、第２中間アーム２４０に対して伸縮アーム装置２００の先端側（すなわち、景品取得ゲーム機１１０の後方）へ相対移動する。なお、先端アーム２５０は内部アーム２６０により基端アーム２１０に対する相対回転が規制されているため、第２中間アーム２４０が反時計回りに回転すると、先端アーム２５０は基端アーム２１０に対する相対回転が規制された状態で伸縮アーム装置２００の先端側へ相対移動する。
【００９４】
上述のようにして、第１中間アーム２３０が筒状部２２０に対し所定（第１）伸長位置まで相対移動するとともに、第２中間アーム２４０が第１中間アーム２３０に対し所定（第２）伸長位置まで相対移動し、さらに先端アーム２５０が第２中間アーム２４０に対し所定（第３）伸長位置まで相対移動すると、図１５に示すように、伸縮アーム装置２００が伸長した状態になる。
【００９５】
この状態で、ＤＣモータ２７１のモータ軸２７２が反転（例えば、伸縮アーム装置２００の基端側から見て反時計回りに回転）すると、モータ軸２７２の回転力が連結軸２７５およびワンウェイクラッチ２７６を介して回転部材２７３に伝達され、ＤＣモータ２７１の回転駆動により回転部材２７３が反時計回りに回転する。回転部材２７３が反時計回りに正転すると、回転部材２７３の回転力がＯリング２７３ａを介して筒状部２２０に伝達され、筒状部２２０が時計回りに回転する。
【００９６】
筒状部２２０が時計回りに回転すると、所定（第１および第２）伸長位置に位置する第１中間アーム２３０および第２中間アーム２４０は、（摩擦力により）筒状部２２０とともに時計回りに回転する。このとき、先端アーム２５０は内部アーム２６０により基端アーム２１０に対する相対回転が規制されているため、第２中間アーム２４０が時計回りに相対回転すると、先端アーム２５０は第２中間アーム２４０に対し伸縮アーム装置２００の基端側（すなわち、景品取得ゲーム機１１０の前方）へ相対移動する。
【００９７】
先端アーム２５０が元の位置（縮小時の位置）まで相対移動して、先端アーム２５０の先端部に設けられたストッパ（図示せず）が第２中間アーム２４０に当接すると、（摩擦力により）第２中間アーム２４０の先端アーム２５０（基端アーム２１０）に対する相対回転が規制される。このとき、第１中間アーム２３０が時計回りに相対回転すると、第２中間アーム２４０は第１中間アーム２３０に対し伸縮アーム装置２００の基端側（すなわち、景品取得ゲーム機１１０の前方）へ相対移動する。
【００９８】
第２中間アーム２４０が元の位置（縮小時の位置）まで相対移動して、第２中間アーム２４０の先端部に設けられたストッパ（図示せず）が第１中間アーム２３０に当接すると、（摩擦力により）第１中間アーム２３０の第２中間アーム２４０（基端アーム２１０）に対する相対回転が規制される。このとき、筒状部２２０が時計回りに相対回転すると、第１中間アーム２３０は第１中間アーム２３０に対し伸縮アーム装置２００の基端側（すなわち、景品取得ゲーム機１１０の前方）へ相対移動する。
【００９９】
上述のようにして、第１中間アーム２３０および第２中間アーム２４０、そして先端アーム２５０が元の位置（縮小時の位置）まで相対移動すると、図１６に示すように、伸縮アーム装置２００が元の長さに縮小した状態になる。
【０１００】
なお、伸縮アーム装置２００が所定の長さまで伸長すると、トルクリミッタ２７７の作用によりモータ軸２７２および連結軸２７５の回転に滑りが生じ、ＤＣモータ２７１に出力される回転駆動信号と、回転検出センサ２７９に検出される回転検出信号との間にずれが生じて、ＤＣモータ２７１の作動、すなわち伸縮アーム装置２００の伸長作動が停止する。一方、伸縮アーム装置２００が元の長さに縮小すると、係止装置１５１のセンサ当接部１５５がセンサ板２８０に当接するとともに、センサ板２８０が筐体部２７４の内方（後方）へ揺動して縮小検出センサ（図示せず）に検出され、ＤＣモータ２７１の作動、すなわち伸縮アーム装置２００の縮小作動が停止する。
【０１０１】
このような伸縮アーム装置２００により、筒状部２２０を回転させることで先端アーム２５０を筒状部２２０の回転軸方向へ移動させることができるため、より単純な構造で伸縮アーム装置２００の伸縮作動を行うことが可能となり、伸縮アーム装置２００を小型軽量化することができる。そして、景品取得ゲーム機１１０が上述のような伸縮アーム装置２００を備えて構成されることで、伸縮アーム装置２００が小型軽量化されるため、景品取得ゲーム機１１０の構造をより単純にすることができ、景品取得ゲーム機１１０の製造コストを低減させることが期待できる。
【０１０２】
以上に説明した第二実施形態の景品取得ゲーム機１１０によれば、引き出し手段１５０を用いて景品載置部１４０を所定引き出し位置まで引き出すことができたとき、景品ＧＦを取得することができるように構成されるため、引き出し手段１５０により景品載置部１４０を引き出しやすくしたり、あるいは引き出しにくくすることで、機構の介入を感じさせない簡易かつ自然な構造で、景品取得ゲーム機１１０における景品払出率の調整を容易に行うことができる。また、引き出し手段１５０を用いて景品載置部１４０を引き出すため、形態に囚われずに景品ＧＦを使用することができる。
【０１０３】
また、引き出し手段１５０の先端に設けられた係止部１５２が目標部材１８３に係止した状態で、引き出し手段１５０により目標部材１８３および紐状部材１８２とともに景品載置部１４０が引き出されるようにすることで、紐状部材１８２の長さを調節したり、係止部１５２の形状や係止部付勢バネ１５７の弾性率等を変更することにより、係止部１５２が目標部材１８３に係止する際の難易度を調整することができ、景品取得ゲーム機１１０における景品払出率の調整をより容易に行うことができる。
【０１０４】
さらに、係止部１５２が目標部材１８３に係止可能な２本の爪を有して構成されることで、係止部１５２の構造を簡潔にすることができる。
【０１０５】
さらに、景品載置部１４０が略鉛直な平面内に複数配設されることで、景品載置部１４０が傾斜して景品ＧＦが前方へ落下する際に、落下する景品ＧＦが他の景品載置部１４０に接触することを防止することができる。
【０１０６】
さらに、トレイ収容部１３２における摺接部材１７２ｂと摺接可能な部分（すなわち、摺接プレート１７７）に、摺接部材１７２ｂの後方への摺動に対する摺動抵抗を（摺接部材１７２ｂの）前方への摺動に対する摺動抵抗よりも大きくする鋼球１７６が設けられることで、引き出し手段１５０を用いて景品載置部１４０を引き出す際に、引き出し手段１５０の係止部１５２が景品載置部１４０のトレイ１４１等に当接してしまっても、景品載置部１４０が容易に後方へ移動してしまうことを防止することができる。
【０１０７】
なお、上述の各実施形態において、目標部材は円柱状やリング状に形成されているが、これに限られるものではなく、例えば、目標部材は枠状に形成されてもよく、係止部が係止可能な形状であればよい。また、目標部材の形状をゲームの難易度に応じて変更するようにしてもよい。このようにすれば、係止部が目標部材に係止する際の難易度を調整することができ、景品取得ゲーム機における景品払出率の調整をより容易に行うことができる。
【０１０８】
また、上述の各実施形態において、各操作スイッチ８ａ，８ｂの操作により（移動装置６による）引き出し手段５の移動を停止させることで、引き出し手段５を所望位置に移動させているが（あるいは、各操作スイッチ８ａ，８ｂの操作により引き出し手段１５０の移動を停止させることで、引き出し手段１５０を所望位置に移動させているが）、これに限られるものではなく、各操作スイッチ８ａ，８ｂの押し操作を行うことで引き出し手段を（移動装置により）移動させるようにしてもよい。また、操作スイッチに限らず、操作レバーやハンドル等、引き出し手段を操作可能な操作手段であればよい。
【０１０９】
さらに、上述の各実施形態において、係止部５３（あるいは、係止部１５２）が目標部材４８（あるいは、目標部材１８３）に係止可能な２本の爪を有して構成されているが、これに限られるものではなく、例えば、多数の爪を有する鋤状に形成されてもよく、目標部材に係止可能な形状であればよい。
【０１１０】
また、上述の各実施形態において、係止部５３が目標部材４８に係止した状態で、引き出し手段５により目標部材４８および紐状部材４７とともに景品載置部４が引き出されるように構成されているが（あるいは、係止部１５２が目標部材１８３に係止した状態で、引き出し手段１５０により目標部材１８３および紐状部材１８２とともに景品載置部１４０が引き出されるように構成されているが）、これに限られるものではなく、例えば、景品載置部（トレイ）に係止部が係止可能な取っ手部を設けるようにしてもよく、引き出し手段を用いて景品載置部を前方へ引き出すことができる構成であればよい。
【０１１１】
さらに、上述の第二実施形態において、本発明に係る移動規制部として鋼球１７６が設けられているが、これに限られるものではなく、例えば、ベースプレートおよび摺接プレートに、前側傾斜面の傾斜角が後側傾斜面の傾斜角より大きいＶ溝を形成するようにしてよく、摺接部材の後方への摺動に対する摺動抵抗を（摺接部材の）前方への摺動に対する摺動抵抗よりも大きくすることができる構成であればよい。
【図面の簡単な説明】
【０１１２】
【図１】本発明に係る景品取得ゲーム機の斜視図である。
【図２】上記景品取得ゲーム機の正面図である。
【図３】景品取得ゲーム機の変形例を示す正面図である。
【図４】景品載置部の正面図である。
【図５】景品載置部の右側面図（部分断面図）である。
【図６】トレイ収容部の右側断面図である。
【図７】引き出し手段の右側面図である。
【図８】係止部および目標部材の斜視図である。
【図９】景品載置部が引き出される過程を（ａ）〜（ｃ）の順に時系列で表す説明図（右側断面図）である。
【図１０】第二実施形態における景品取得ゲーム機の斜視図である。
【図１１】第二実施形態における景品載置部の正面図である。
【図１２】第二実施形態における景品載置部の右側面図（部分断面図）である。
【図１３】第二実施形態における傾斜手段の右側面拡大図（部分断面図）である。
【図１４】鋼球の拡大図である。
【図１５】伸長状態にある伸縮アーム装置の右側面図（部分断面図）である。
【図１６】縮小状態にある伸縮アーム装置の右側面図である。
【図１７】第二実施形態における係止部の正面図である。
【図１８】第二実施形態における景品載置部が引き出される過程を（ａ）〜（ｃ）の順に時系列で表す説明図（右側断面図）である。
【符号の説明】
【０１１３】
ＧＦ  景品
１  景品取得ゲーム機
４  景品載置部
５  引き出し手段
８ａ  上下操作スイッチ（操作手段）
８ｂ  左右操作スイッチ（操作手段）
４３  傾斜手段
４６  ロッド部
４７  紐状部材
４８  目標部材
５３  係止部
１０４  景品載置部（変形例）
１１０  景品取得ゲーム機（第二実施形態）
１３２  トレイ収容部（収容部）
１４０  景品載置部
１５０  引き出し手段
１５１  係止装置
１５２  係止部
１７２  傾斜手段（１７２ａ  揺動部材、１７２ｂ  摺接部材）
１７６  鋼球（移動規制部）
１８１  ロッド部
１８２  紐状部材
１８３  目標部材
【図１】
2005152591.tif 000003
【図２】
2005152591.tif 000004
【図３】
2005152591.tif 000005
【図４】
2005152591.tif 000006
【図５】
2005152591.tif 000007
【図６】
2005152591.tif 000008
【図７】
2005152591.tif 000009
【図８】
2005152591.tif 000010
【図９】
2005152591.tif 000011
【図１０】
2005152591.tif 000012
【図１１】
2005152591.tif 000013
【図１２】
2005152591.tif 000014
【図１３】
2005152591.tif 000015
【図１４】
2005152591.tif 000016
【図１５】
2005152591.tif 000017
【図１６】
2005152591.tif 000018
【図１７】
2005152591.tif 000019
【図１８】
2005152591.tif 000020